(57)【要約】【課題】簡易な構成で発光領域を大きくすることができる平面発光体を提供する。【解決手段】平面発光体１００は、基板１１０と、基板１１０上に積層された、第１電極１２１と、発光層を含む有機層１２２と、第２電極１２３とを含む有機ＥＬ素子１２０と、第１電極１２１及び第２電極１２３の少なくとも一方へ給電を行うための孔部１３２と、発光層を封止するように有機ＥＬ素子１２０を覆うカバー部材１３０と、第１電極１２１又は第２電極１２３に電気的に接続され、かつ、孔部１３２に露出した端子部１２１ａとを備える。【選択図】図３
2017062870.tif 000002
【特許請求の範囲】
【請求項１】
基板と、
前記基板上に積層された、第１電極と、発光層を含む有機層と、第２電極とを含む有機発光素子と、
前記第１電極及び前記第２電極の少なくとも一方へ給電を行うための孔部と、
前記発光層を封止するように前記有機発光素子を覆うカバー部材と、
前記第１電極又は前記第２電極に電気的に接続され、かつ、前記孔部に露出した第１端子部と、を備える
平面発光体。
【請求項２】
前記第１端子部は、前記第１電極又は前記第２電極の一部である
請求項１に記載の平面発光体。
【請求項３】
前記第１端子部は、前記第１電極に電気的に接続され、
前記平面発光体は、さらに、前記第２電極に電気的に接続され、かつ、前記孔部に露出した第２端子部を備え、
前記第１端子部及び前記第２端子部は、平面視において、互いに重複しない位置に設けられている
請求項１又は２に記載の平面発光体。
【請求項４】
前記孔部は、平面視において、前記カバー部材の辺又は径に平行な線分の中央を貫通する
請求項１〜３のいずれか１項に記載の平面発光体。
【請求項５】
前記孔部は、平面視において、前記カバー部材の面積重心を貫通する
請求項１〜３のいずれか１項に記載の平面発光体。
【請求項６】
前記平面発光体は、さらに、前記第１電極又は前記第２電極に積層された線状の補助電極を有し、
前記補助電極は、前記孔部から前記第１電極又は前記第２電極の端縁部へ向かって略放射状に配置されている
請求項１〜５のいずれか１項に記載の平面発光体。
【請求項７】
平面視において前記孔部に重複する位置に、前記基板及び前記有機発光素子のそれぞれを貫通する貫通孔が形成されている
請求項１〜６のいずれか１項に記載の平面発光体。
【請求項８】
請求項１〜７のいずれか１項に記載の平面発光体と、
前記平面発光体を保持する保持部材と、
前記保持部材に設けられた給電電極部材と、を備え、
前記給電電極部材は、弾性体であり、前記第１端子部を押圧している
平面発光モジュール。
【請求項９】
前記保持部材は、前記基板及び前記カバー部材の少なくとも一方の端部を保持する
請求項８に記載の平面発光モジュール。
【請求項１０】
前記保持部材は、前記平面発光体をスライド可能に保持する
請求項８又は９に記載の平面発光モジュール。
【請求項１１】
前記保持部材は、所定の設置面に設けられた係止部に回動可能に係止する
請求項８又は９に記載の平面発光モジュール。
【請求項１２】
請求項１〜７のいずれか１項に記載の平面発光体を備える照明装置。
【請求項１３】
前記照明装置は、前記平面発光体を複数備え、
複数の前記平面発光体は、互いに隣接するように二次元状に並べられている
請求項１２に記載の照明装置。
【発明の詳細な説明】
【技術分野】
【０００１】
本発明は、電圧印加によって平面状に発光する平面発光体、平面発光モジュール及び照明装置に関する。
【背景技術】
【０００２】
従来、有機ＥＬ（Ｅｌｅｃｔｒｏ−Ｌｕｍｉｎｅｓｃｅｎｃｅ）素子を備え、平面状に発光する平面発光体が知られている。有機ＥＬ素子は、陽極（正極）と陰極（負極）との間に多層の有機層を備える。陽極と陰極との間に所定の電圧を印加することで、陽極から正孔が、陰極から電子が有機層に注入される。注入された正孔及び電子が有機層内で再結合する際に光が放出される現象を利用することで、平面発光体は、電圧印加によって発光する。
【０００３】
平面発光体では、有機層が外気及び水分などに曝されることを防ぐために、有機層を封止している。例えば、特許文献１に記載の平面発光体では、基板上に設けられた有機層を封止基板とシール層とによって封止している。
【０００４】
このとき、従来、平面発光体に電圧を印加するための給電電極は、発光領域の外周に配置される。このため、平面発光体では、基板上にシール層が設けられた領域である封止部分だけでなく、電極部分にも非発光領域が形成される。
【０００５】
これに対して、特許文献１に記載の平面発光体では、給電電極を設けるための貫通孔を封止基板に形成し、封止基板上に給電電極を形成している。これにより、発光領域の反対側から給電するので、非発光領域を小さくすることができる。
【先行技術文献】
【特許文献】
【０００６】
【特許文献１】特開２０１３−００４３１３号公報
【発明の概要】
【発明が解決しようとする課題】
【０００７】
しかしながら、特許文献１に記載の平面発光体では、封止基板に貫通孔を形成したことにより、封止機能が低下する。封止機能の低下を抑制するために、特許文献１に記載の平面発光体では、給電電極、貫通電極及びバリアフィルムなどによって、貫通孔による封止機能の低下を抑制している。このように、特許文献１に記載の平面発光体では、封止機能の低下を抑制するための構造が複雑になり、高コスト化の要因となる。
【０００８】
そこで、本発明は、簡易な構成で発光領域を大きくすることができる平面発光体、平面発光モジュール及び照明装置を提供する。
【課題を解決するための手段】
【０００９】
上記課題を解決するため、本発明の一態様に係る平面発光体は、基板と、前記基板上に積層された、第１電極と、発光層を含む有機層と、第２電極とを含む有機発光素子と、前記第１電極及び前記第２電極の少なくとも一方へ給電を行うための孔部と、前記発光層を封止するように前記有機発光素子を覆うカバー部材と、前記第１電極又は前記第２電極に電気的に接続され、かつ、前記孔部に露出した第１端子部とを備える。
【００１０】
また、本発明の一態様に係る平面発光体では、前記第１端子部は、前記第１電極又は前記第２電極の一部であってもよい。
【００１１】
また、本発明の一態様に係る平面発光体では、前記第１端子部は、前記第１電極に電気的に接続され、前記平面発光体は、さらに、前記第２電極に電気的に接続され、かつ、前記孔部に露出した第２端子部を備え、前記第１端子部及び前記第２端子部は、平面視において、互いに重複しない位置に設けられていてもよい。
【００１２】
また、本発明の一態様に係る平面発光体では、前記孔部は、平面視において、前記カバー部材の辺又は径に平行な線分の中央を貫通してもよい。
【００１３】
また、本発明の一態様に係る平面発光体では、前記孔部は、平面視において、前記カバー部材の面積重心を貫通してもよい。
【００１４】
また、本発明の一態様に係る平面発光体は、さらに、前記第１電極又は前記第２電極に積層された線状の補助電極を有し、前記補助電極は、前記孔部から前記第１電極又は前記第２電極の端縁部へ向かって略放射状に配置されていてもよい。
【００１５】
また、本発明の一態様に係る平面発光体では、平面視において前記孔部に重複する位置に、前記基板及び前記有機発光素子のそれぞれを貫通する貫通孔が形成されていてもよい。
【００１６】
また、本発明の一態様に係る平面発光モジュールは、上記の平面発光体と、前記平面発光体を保持する保持部材と、前記保持部材に設けられた給電電極部材とを備え、前記給電電極部材は、弾性体であり、前記第１端子部を押圧している。
【００１７】
また、本発明の一態様に係る平面発光モジュールでは、前記保持部材は、前記基板及び前記カバー部材の少なくとも一方の端部を保持してもよい。
【００１８】
また、本発明の一態様に係る平面発光モジュールでは、前記保持部材は、前記平面発光体をスライド可能に保持してもよい。
【００１９】
また、本発明の一態様に係る平面発光モジュールでは、前記保持部材は、所定の設置面に設けられた係止部に回動可能に係止してもよい。
【００２０】
また、本発明の一態様に係る照明装置は、上記の平面発光体を備える。
【００２１】
また、本発明の一態様に係る照明装置は、前記平面発光体を複数備え、複数の前記平面発光体は、互いに隣接するように二次元状に並べられていてもよい。
【発明の効果】
【００２２】
本発明によれば、簡易な構成で発光領域を大きくすることができる。
【図面の簡単な説明】
【００２３】
【図１】本発明の実施の形態１に係る平面発光体の一例を示す概観斜視図である。
【図２】本発明の実施の形態１に係る平面発光体の一例を示す平面図である。
【図３】本発明の実施の形態１に係る平面発光体の一例を示す断面図である。
【図４】本発明の実施の形態１に係る平面発光体の製造方法の一例を示す断面図である。
【図５】本発明の実施の形態１の変形例１に係る補助電極の一例を示す平面図である。
【図６】本発明の実施の形態１の変形例２に係る平面発光体の一例を示す平面図である。
【図７】本発明の実施の形態１の変形例２に係る平面発光体の一例を示す断面図である。
【図８】本発明の実施の形態１の変形例３に係る平面発光体の一例を示す概観斜視図である。
【図９】本発明の実施の形態１の変形例４に係る平面発光体の一例を示す平面図である。
【図１０】本発明の実施の形態１の変形例４に係る平面発光体の一例を示す断面図である。
【図１１】本発明の実施の形態２に係る平面発光モジュールの一例を示す概観斜視図である。
【図１２】本発明の実施の形態２に係る平面発光モジュールの製造方法の一例を示す断面図である。
【図１３】本発明の実施の形態２の変形例１に係る平面発光モジュールの一例を示す断面図である。
【図１４】本発明の実施の形態２の変形例２に係る平面発光モジュールの一例を示す概観斜視図である。
【図１５】本発明の実施の形態３に係る照明装置の一例を示す概観斜視図である。
【発明を実施するための形態】
【００２４】
以下では、本発明の実施の形態に係る平面発光体、平面発光モジュール及び照明装置について、図面を用いて詳細に説明する。なお、以下に説明する実施の形態は、いずれも本発明の好ましい一具体例を示すものである。したがって、以下の実施の形態で示される数値、形状、材料、構成要素、構成要素の配置及び接続形態などは、一例であり、本発明を限定する趣旨ではない。よって、以下の実施の形態における構成要素のうち、本発明の最上位概念を示す独立請求項に記載されていない構成要素については、任意の構成要素として説明される。
【００２５】
また、各図は、模式図であり、必ずしも厳密に図示されたものではない。また、各図において、同じ構成部材については同じ符号を付している。
【００２６】
（実施の形態１）
［平面発光体の概要］
まず、本発明の実施の形態１に係る平面発光体について、図１〜図３を用いて説明する。図１〜図３は、本発明の実施の形態１に係る平面発光体１００を示す概観斜視図、平面図、断面図である。なお、図２は、平面発光体１００を基板１１０側から見た平面図である。ただし、基板１１０は示していない。また、図３は、端子部１２１ａを通る断面、すなわち、図１及び図２におけるＡ−Ａ断面を示している。
【００２７】
図３に示すように、平面発光体１００は、基板１１０と、有機ＥＬ素子１２０と、カバー部材１３０と、封止部材１４０とを備える。有機ＥＬ素子１２０は、基板１１０上に積層された、第１電極１２１と、有機層１２２と、第２電極１２３とを含んでいる。また、カバー部材１３０は、図１に示すように、平板部１３１と、平板部１３１を貫通する孔部１３２とを有する。さらに、平面発光体１００は、孔部１３２に露出した端子部１２１ａ及び１２３ａを備える。
【００２８】
平面発光体１００は、例えば、カバー部材１３０から基板１１０に向かう方向（Ｚ軸負方向）に、平面状に発光する。つまり、平面発光体１００の光出射面は、基板１１０の主面に相当する。
【００２９】
なお、図１〜図３において、Ｘ軸及びＹ軸は、基板１１０の主面（例えば、光出射面）に平行な方向を示し、Ｚ軸は、基板１１０の主面に垂直な方向を示している。本実施の形態では、図１及び図２に示すように、平面視において、平面発光体１００の形状が矩形であるので、Ｘ軸及びＹ軸は、平面発光体１００の直交する２つの辺をそれぞれ示している。
【００３０】
［基板］
基板１１０は、平面発光体１００の光出射面側に設けられ、可視光の少なくとも一部を透過する透明基板である。例えば、基板１１０は、ソーダガラス、無蛍光ガラス、リン酸系ガラス、ホウ酸系ガラスなどのガラス基板である。
【００３１】
なお、基板１１０は、石英基板でもよく、あるいは、アクリル系樹脂、スチレン系樹脂、ポリカーボネート系樹脂、エポキシ系樹脂、ポリエチレン、ポリエステル、シリコン系樹脂などのプラスチック基板又はプラスチックフィルムでもよい。なお、平面発光体１００は、基板１１０側から光を取り出す、いわゆる、ボトムエミッション型のデバイスであるので、基板１１０は、ガラス基板などのように可視光に対して透過性の高い材質であることが好ましい。
【００３２】
基板１１０は、図２に示すように、平面視において、矩形である。基板１１０は、例えば、多角形、円形若しくは楕円形、又は、直線及び曲線で囲まれた形状でもよい。
【００３３】
［有機ＥＬ素子］
有機ＥＬ素子１２０は、第１電極１２１と第２電極１２３との間に所定の電圧が印加されることにより、発光する。また、図１及び図３に示すように、有機ＥＬ素子１２０は、基板１１０、カバー部材１３０及び封止部材１４０によって封止されている。
【００３４】
第１電極１２１は、光出射面側に設けられた電極であり、例えば、基板１１０上に設けられている。第１電極１２１は、例えば、有機ＥＬ素子１２０の陽極であり、発光時には、第２電極１２３よりも高い電圧が印加される。
【００３５】
第１電極１２１は、可視光の少なくとも一部を透過する透明の導電性材料から構成される。例えば、第１電極１２１は、酸化インジウムスズ（ＩＴＯ）から構成される。例えば、第１電極１２１は、蒸着法又はスパッタリング法などによって導電膜を成膜し、成膜した導電膜をパターニングすることで形成される。
【００３６】
なお、第１電極１２１は、基板１１０上に、透明のバッファ層を介して設けられてもよい。すなわち、第１電極１２１は、基板１１０上に設けられたバッファ層上に設けられてもよい。
【００３７】
有機層１２２は、発光層を含み、第１電極１２１上に設けられている。例えば、有機層１２２は、正孔注入層、正孔輸送層、発光層、電子輸送層及び電子注入層を含んでいる。
【００３８】
発光層は、第１電極１２１と第２電極１２３との間に所定の電圧が印加された場合に、発光する。例えば、発光層は、可視光領域の光を発する。具体的には、発光層は、赤色、青色又は白色光を発する。
【００３９】
有機層１２２の材料としては、例えば、オキシノイド化合物、ペリレン化合物、クマリン化合物、アザクマリン化合物、オキサゾール化合物、オキサジアゾール化合物、ペリノン化合物、ピロロピロール化合物、ナフタレン化合物、アントラセン化合物、フルオレン化合物、フルオランテン化合物、テトラセン化合物、ピレン化合物、コロネン化合物、キノロン化合物及びアザキノロン化合物、ピラゾリン誘導体及びピラゾロン誘導体、ローダミン化合物、クリセン化合物、フェナントレン化合物、シクロペンタジエン化合物、スチルベン化合物、ジフェニルキノン化合物、スチリル化合物、ブタジエン化合物、ジシアノメチレンピラン化合物、ジシアノメチレンチオピラン化合物、フルオレセイン化合物、ピリリウム化合物、チアピリリウム化合物、セレナピリリウム化合物、テルロピリリウム化合物、芳香族アルダジエン化合物、オリゴフェニレン化合物、チオキサンテン化合物、アンスラセン化合物、シアニン化合物、アクリジン化合物、８−ヒドロキシキノリン化合物の金属鎖体、２、２’−ビピリジン化合物の金属鎖体、シッフ塩とＩＩＩ族金属との鎖体、オキシン金属鎖体、又は、希土類鎖体などの蛍光物質が用いられる。有機層１２２は、蒸着法、スピンコート法、キャスト法などにより形成される。
【００４０】
第２電極１２３は、光出射面とは反対側に設けられた電極であり、有機層１２２上に設けられている。第２電極１２３は、例えば、有機ＥＬ素子１２０の陰極であり、発光時には、第１電極１２１より低い電圧が印加される。
【００４１】
第２電極１２３は、例えば、アルミニウム、銀若しくはマグネシウム、又は、これらの少なくとも１種類を含む合金などから構成される。例えば、第２電極１２３は、蒸着法又はスパッタリング法などによって導電膜を成膜し、成膜した導電膜をパターニングすることで形成される。
【００４２】
なお、平面視において、第１電極１２１、有機層１２２及び第２電極１２３の形状、すなわち、発光領域の形状は、カバー部材１３０の形状と略同一である。言い換えると、非発光領域は、孔部１３２が設けられる領域と、封止部材１４０が設けられる領域とに相当する。
【００４３】
具体的には、カバー部材１３０と同様に、第１電極１２１、有機層１２２及び第２電極１２３のそれぞれにも貫通孔１１１が設けられている。具体的には、貫通孔１１１は、第１電極１２１、有機層１２２及び第２電極１２３を、基板１１０の法線方向に貫通している。平面視において、貫通孔１１１は、カバー部材１３０の孔部１３２と重複する領域に設けられている。
【００４４】
［カバー部材］
カバー部材１３０は、孔部１３２を有し、有機層１２２の発光層を封止するように有機ＥＬ素子１２０を覆っている。例えば、図３に示すように、カバー部材１３０は、有機ＥＬ素子１２０を覆うようにして、封止部材１４０とともに有機層１２２を封止する。具体的には、カバー部材１３０は、有機ＥＬ素子１２０を外気から保護する。すなわち、カバー部材１３０は、空気中の水分及び酸素の有機層１２２への浸入を抑制する。
【００４５】
例えば、カバー部材１３０の外形は、平面視において、基板１１０と同じ形状、具体的には、矩形である。カバー部材１３０の外形は、例えば、多角形、円形若しくは楕円形、又は、直線及び曲線で囲まれた形状であってもよい。
【００４６】
カバー部材１３０は、例えば、ガラス材料から構成されるカバーガラスである。あるいは、カバー部材１３０は、プラスチック材料から構成されてもよい。
【００４７】
平板部１３１は、有機ＥＬ素子１２０の平面形状に沿った形状を有する。例えば、平面視において、平板部１３１の外周は、基板１１０の外周と略同じである。言い換えると、図３に示すように、平面発光体１００の外周部において、カバー部材１３０と、封止部材１４０と、基板１１０とが略面一になる。これにより、カバー部材１３０に覆われた空間を大きくすることができ、発光領域を大きくすることができる。
【００４８】
平板部１３１の内周部分、すなわち、孔部１３２を形成する壁部は、図３に示すように、封止部材１４０によって第１電極１２１及び第２電極１２３と接続されている。これにより、有機層１２２は、封止されている。
【００４９】
孔部１３２は、第１電極１２１及び第２電極１２３の少なくとも一方への給電を行うために設けられる。本実施の形態では、孔部１３２は、第１電極１２１及び第２電極１２３の両方への給電を行うために設けられる。例えば、孔部１３２には、端子部１２１ａ及び１２３ａが露出している。図２に示すように、例えば、端子部１２１ａ及び１２３ａは、平面視において、外部から視認可能な状態で露出している。
【００５０】
孔部１３２は、平板部１３１を貫通し、基板１１０、第１電極１２１又は第２電極１２３の一部を露出させる。具体的には、孔部１３２は、光出射面に垂直な方向、すなわち、有機ＥＬ素子１２０の積層方向に、平板部１３１を貫通し、基板１１０の一部を露出させる。
【００５１】
孔部１３２は、平面視において、カバー部材１３０の中央部分を貫通する。具体的には、孔部１３２は、カバー部材１３０の面積重心を貫通する。これにより、第１電極１２１及び第２電極１２３への給電部の位置によって生じる電圧効果の影響を低減することができ、面発光の面内均一性を向上させることができる。
【００５２】
例えば、孔部１３２は、図４に示すように、平板部１３１の一部を切り取ることで形成される。具体的には、平板部１３１の面積重心を含む所定の領域を貫通するように切り取ることで、孔部１３２を形成することができる。なお、図４は、本発明の実施の形態１に係る平面発光体１００の製造方法の一例を示す断面図である。
【００５３】
孔部１３２は、図２に示すように、平面視において、矩形である。孔部１３２は、例えば、多角形、円形若しくは楕円形、又は、直線及び曲線で囲まれた形状でもよい。
【００５４】
また、平板部１３１及び孔部１３２は、樹脂材料と金型とを用いた一体成型などによって形成されてもよい。
【００５５】
［封止部材］
封止部材１４０は、カバー部材１３０と基板１１０とを接続することで、カバー部材１３０及び基板１１０とともに有機層１２２を封止する。例えば、封止部材１４０は、紫外線硬化樹脂又は熱硬化樹脂などから構成される。
【００５６】
具体的には、基板１１０上又はカバー部材１３０上に紫外線硬化樹脂又は熱硬化樹脂を塗布し、基板１１０とカバー部材１３０とを接着する。その後、紫外線を照射し、あるいは、レーザなどによって熱を加えて紫外線硬化樹脂又は熱硬化樹脂を硬化させることで、封止部材１４０は形成される。これにより、基板１１０、カバー部材１３０及び封止部材１４０は、有機層１２２を封止することができる。
【００５７】
封止部材１４０は、図２及び図３に示すように、カバー部材１３０の外周部分と内周部分とに設けられる。なお、内周部分に設けられた封止部材１４０は、孔部１３２に露出した端子部１２１ａ及び１２３ａと、第１電極１２１及び第２電極１２３との接続部分を覆うように設けられている。
【００５８】
［端子部］
端子部１２１ａ及び１２３ａは、第１電極１２１又は第２電極１２３に電気的に接続され、孔部１３２に露出した第１端子部及び第２端子部の一例である。例えば、端子部１２１ａ及び１２３ａは、第１電極１２１又は第２電極１２３の一部である。具体的には、端子部１２１ａ及び１２３ａは、第１電極１２１又は第２電極１２３から延設するように設けられた電極片である。
【００５９】
端子部１２１ａは、第１電極１２１に電気的に接続されている。また、端子部１２１ａは、第１電極１２１の一部である。また、図３に示すように、端子部１２１ａは、基板１１０上に形成されている。
【００６０】
具体的には、端子部１２１ａは、孔部１３２に露出するように第１電極１２１から延設された電極片であり、孔部１３２に露出した基板１１０の一部の上に形成されている。例えば、端子部１２１ａは、基板１１０上に全面成膜した導電膜を、フォトレジスト及びエッチングによりパターニングすることで、第１電極１２１と同時に形成することができる。
【００６１】
端子部１２３ａは、第２電極１２３に電気的に接続されている。また、端子部１２３ａは、第２電極１２３の一部である。図３に示すように、端子部１２３ａは、基板１１０上に形成されている。
【００６２】
具体的には、端子部１２３ａは、孔部１３２に露出するように第２電極１２３から延設された電極片であり、孔部１３２に露出した基板１１０の一部の上に形成されている。例えば、端子部１２３ａは、基板１１０上及び有機層１２２上に全面成膜された導電膜を、フォトレジスト及びエッチングによりパターニングすることで、第２電極１２３と同時に形成することができる。
【００６３】
このように、１つの孔部１３２に、端子部１２１ａ及び１２３ａの両方が露出している。このため、端子部１２１ａ及び１２３ａは、図２に示すように、平面視において、互いに重複しない位置に設けられている。言い換えると、端子部１２１ａ及び１２３ａは、基板水平方向に離間させて配置されている。これにより、端子部１２１ａと端子部１２３ａとの絶縁性を確保することができる。
【００６４】
端子部１２１ａ及び１２３ａにはそれぞれ異なる電圧が印加される。つまり、端子部１２１ａと端子部１２３ａとの間に所定の電圧を印加することで、第１電極１２１と第２電極１２３との間に電圧を印加することができる。これにより、有機層１２２に含まれる発光層から光が放出される。
【００６５】
なお、図２に示すように、端子部１２１ａ及び１２３ａはそれぞれ、中央で分離しているが、１本に繋がっていてもよい。
【００６６】
［効果など］
以上のように、本実施の形態に係る平面発光体１００は、基板１１０と、基板１１０上に積層された、第１電極１２１と、発光層を含む有機層１２２と、第２電極１２３とを含む有機ＥＬ素子１２０と、第１電極１２１及び第２電極１２３の少なくとも一方へ給電を行うための孔部１３２と、発光層を封止するように有機ＥＬ素子１２０を覆うカバー部材１３０と、第１電極１２１又は第２電極１２３に電気的に接続され、かつ、孔部１３２に露出した端子部１２１ａとを備える。
【００６７】
これにより、第１電極１２１又は第２電極１２３に電気的に接続する端子部１２１ａが孔部１３２に露出しているので、孔部１３２を介して容易に給電することができる。したがって、カバー部材１３０に設けた孔部１３２を介して給電するので、カバー部材１３０の外周から給電する場合に比べて、非発光領域を小さくすることができる。
【００６８】
例えば、平面視において、基板１１０が１０ｃｍ×１０ｃｍの正方形状であり、適切に給電を行うための端子部の長さとして約０．５ｃｍが必要である場合を想定する。
【００６９】
カバー部材１３０の外周に端子部を設けた場合は、面発光の面内均一性を保つため、基板１１０の一辺に沿った長方形状に端子部を設けることが多い。したがって、端子部の面積、すなわち、非発光領域の面積は、０．５ｃｍ×１０ｃｍ＝５ｃｍ２である。これに対して、孔部１３２が例えば１ｃｍ四方の正方形状である場合は、孔部１３２の面積、すなわち、非発光領域の面積は、１ｃｍ２となる。
【００７０】
このように、孔部１３２を設けることで、非発光領域を小さくする、すなわち、発光領域を大きくすることができる。また、中央付近から給電するので、面発光の面内均一性の低下を抑制することができる。
【００７１】
一方で、孔部１３２は容易に形成することができる。例えば、図４を用いて示したように、孔部１３２を形成するには、カバー部材１３０の一部を切り取るだけでもよい。また、カバー部材１３０の外周部分だけでなく、内周部分、すなわち、孔部１３２の周に沿って封止部材１４０を設けることで、有機ＥＬ素子１２０を容易に封止することができる。
【００７２】
このように、本実施の形態に係る平面発光体１００では、簡易な構成で、発光領域を大きくすることができる。
【００７３】
特に、複数の平面発光体を並べて使用する場合、本実施の形態に係る平面発光体１００は、外周から給電する場合に比べて、全体としての非発光領域をより小さくすることができる。すなわち、全体として発光領域をより大きくすることができ、視覚的な効果を向上させることができる。
【００７４】
また、本実施の形態に係る平面発光体１００では、端子部１２１ａは、第１電極１２１又は第２電極１２３の一部である。
【００７５】
これにより、孔部１３２に露出した端子部１２１ａは第１電極１２１の一部であるので、有機ＥＬ素子１２０に適切に給電することができる。例えば、全面成膜した導電膜を、所定形状のマスクを用いてパターニングすることで、容易に端子部１２１ａと第１電極１２１とを一体に形成することができる。
【００７６】
また、本実施の形態に係る平面発光体１００では、第１端子部１２１ａは、第１電極１２１に電気的に接続され、平面発光体１００は、さらに、第２電極１２３に電気的に接続され、かつ、孔部１３２に露出した端子部１２３ａを備え、端子部１２１ａ及び第２端子部１２３ａは、平面視において、互いに重複しない位置に設けられている。
【００７７】
これにより、第１電極１２１及び第２電極１２３の両方に、カバー部材１３０に設けた孔部１３２を介して給電するので、より非発光領域を小さくすることができる。
【００７８】
また、本実施の形態に係る平面発光体１００では、孔部１３２は、平面視において、カバー部材１３０の面積重心を貫通する。
【００７９】
これにより、孔部１３２が平面視において平板部１３１の面積重心を貫通するように設けられているので、第１電極１２１又は第２電極１２３への給電部を平板部１３１の中央に設けることができる。したがって、給電部の位置によって生じる電圧効果の影響を低減することができ、面発光の面内均一性を向上させることができる。
【００８０】
特に、有機ＥＬ素子１２０は、平面形状の自由度が高いという特長を有する。つまり、有機ＥＬ素子１２０は、平面視において、例えば、多角形、円形若しくは楕円形、又は、直線及び曲線で囲まれた形状でも容易に形成することができる。したがって、面積重心を貫通するように孔部１３２を設けることで、非対称な形状の有機ＥＬ素子の場合であっても面発光の面内均一性を向上させることができる。
【００８１】
本実施の形態に係る平面発光体１００では、第１電極１２１、有機層１２２及び第２電極１２３はそれぞれ、平面視において、中央部に貫通孔１１１を有する。具体的には、第１電極１２１、有機層１２２及び第２電極１２３はそれぞれ、環状の板形状である。そして、第１電極１２１への給電用の端子部１２１ａと、第２電極１２３への給電用の端子部１２３ａとをそれぞれ、貫通孔１１１に露出させている。
【００８２】
これにより、第１電極１２１及び第２電極１２３には、中央部から給電を行うことができる。したがって、面発光の面内均一性を向上させ、かつ、発光領域を大きくすることができる。
【００８３】
（実施の形態１の変形例１）
続いて、本実施の形態の変形例１について、図５を用いて説明する。図５は、本変形例に係る補助電極１５０を示す平面図である。
【００８４】
本変形例に係る平面発光体１００は、第１電極１２１又は第２電極１２３に積層された線状の補助電極１５０を備える。このとき、補助電極１５０は、孔部１３２から第１電極１２１又は第２電極１２３の端縁部へ向かって略放射状に配置されている。また、補助電極１５０は、第１電極１２１又は第２電極１２３より電気抵抗が小さい材料から構成される。
【００８５】
具体的には、図５に示すように、補助電極１５０は、孔部１３２から第１電極１２１の端縁部へ向かって略放射状に配置される。本変形例では、平面視において、孔部１３２及び第１電極１２１がともに矩形であるため、補助電極１５０は、矩形の孔部１３２の各頂点から、矩形の第１電極１２１の各頂点へ延びるように配置されている。なお、実際には、端子部１２１ａに給電されるので、例えば、補助電極１５０は、端子部１２１ａから第１電極１２１の端縁部へ向かって略放射状に配置されてもよい。
【００８６】
補助電極１５０は、例えば、第１電極１２１上に形成される。すなわち、補助電極１５０は、第１電極１２１と有機層１２２との間に形成される。補助電極１５０は、例えば、導電膜を成膜し、パターニングすることで形成される。あるいは、補助電極１５０は、ディスペンサーなどを用いた液状吐出によって形成されてもよい。
【００８７】
補助電極１５０は、例えば、アルミニウム、マグネシウム、モリブデン、銀若しくは金などの金属、又は、これらの合金から構成される。なお、補助電極１５０の線幅及び膜厚は特に限定されない。ただし、線幅が大きくなる程、光出射面から出射される光が少なくなるので、例えば、補助電極１５０の線幅は、５μｍ〜１００μｍ、膜厚は、０．１μｍ〜５μｍである。
【００８８】
以上のように、本変形例に係る平面発光体１００は、さらに、第１電極１２１に積層された線状の補助電極１５０を有し、補助電極１５０は、孔部１３２から第１電極１２１の端縁部へ向かって略放射状に配置されている。
【００８９】
これにより、第１電極１２１に印加される電圧をより均一にすることができる。したがって、第１電極１２１内での電圧降下の影響を低減することができ、面発光の面内均一性を向上させることができる。
【００９０】
なお、補助電極１５０は、第１電極１２１上に形成される例について示したが、第１電極１２１の下に形成されてもよい。すなわち、補助電極１５０は、基板１１０と第１電極１２１との間に形成されてもよい。
【００９１】
なお、補助電極１５０は、直線状である例について示したが、曲線状でもよい。また、補助電極１５０は、格子状に設けられてもよい。
【００９２】
また、補助電極１５０は、第２電極１２３上又は下に形成されてもよい。これにより、第２電極１２３内での電圧降下の影響を低減することができ、面発光の面内均一性を向上させることができる。また、補助電極１５０は、第１電極１２１及び第２電極１２３のそれぞれに設けてもよい。これにより、面発光の面内均一性をより向上させることができる。
【００９３】
（実施の形態１の変形例２）
続いて、本実施の形態の変形例２について、図６及び図７を用いて説明する。図６及び図７は、本変形例に係る平面発光体２００の平面図及び断面図である。なお、図６は、平面発光体２００をカバー部材１３０側から見た平面図である。また、図７は、端子部１２１ａを通る断面、すなわち、図６におけるＢ−Ｂ断面を示している。
【００９４】
図７に示すように、平面発光体２００は、実施の形態１に係る平面発光体１００と比較して、基板１１０の代わりに、貫通孔２１１が形成された基板２１０を備える点が異なっている。基板２１０は、貫通孔２１１が形成されている点を除いて、基板１１０と同じである。
【００９５】
貫通孔２１１は、図６に示すように、平面視において、孔部１３２に重複する位置に形成されている。また、実施の形態１と同様に、第１電極１２１、有機層１２２及び第２電極１２３のそれぞれにも、平面視において、孔部１３２に重複する位置に貫通孔１１１が形成されている。
【００９６】
貫通孔２１１の開口面積は、例えば、孔部１３２の開口面積よりも小さい。このため、孔部１３２には、基板２１０の一部であって、貫通孔２１１の開口部に相当する部分が露出している。なお、端子部１２１ａ及び１２３ａは、基板２１０の孔部１３２への露出部分に設けられている。
【００９７】
以上のように、本変形例に係る平面発光体２００では、平面視において孔部１３２に重複する位置に、基板２１０及び有機ＥＬ素子１２０のそれぞれを貫通する貫通孔１１１及び２１１が形成されている。
【００９８】
このように、平面発光体２００には、図７に示すように、基板２１０の主面に垂直な方向（Ｚ軸方向）に、孔部１３２、貫通孔１１１及び２１１によって空洞が形成されている。これにより、孔部１３２、貫通孔１１１及び２１１を介して、すなわち、形成された空洞を介して、カバー部材１３０側から光出射面側を見ることができる。これにより、例えば、対象物に光を当てながら、当該対象物を見ることができる。
【００９９】
また、孔部１３２、貫通孔１１１及び２１１に、所定の部材を挿入することもできる。例えば、カメラレンズなどを挿入することで、対象物に光を当てながら、当該対象物を撮影することができる。このとき、外部から光を照射する場合に比べて、カメラレンズの影が発生しにくいので、より良い環境下での撮影を行うことができる。
【０１００】
また、例えば、平面発光体２００を吊り下げ照明として利用する場合に、孔部１３２、貫通孔１１１及び２１１に支持部材を挿入することで、バランス良く平面発光体２００を支持することもできる。
【０１０１】
（実施の形態１の変形例３）
続いて、本実施の形態の変形例３について、図８を用いて説明する。図８は、本変形例に係る平面発光体３００の概観斜視図である。
【０１０２】
図８に示すように、平面発光体３００は、カバー部材３３０を備える。カバー部材３３０は、平板部３３１と、平板部３３１のそれぞれ異なる位置を貫通する２つの孔部３３２及び３３３とを有する。
【０１０３】
平板部３３１は、実施の形態１の平板部１３１と比較して、２つの孔部３３２及び３３３が設けられている点が異なっており、その他の点については、平板部１３１と同じである。
【０１０４】
孔部３３２は、第１電極１２１への給電を行うために設けられる。具体的には、孔部３３２には、端子部１２１ａが露出している。例えば、孔部３３２には、基板１１０の一部である第１領域が露出しており、露出した第１領域上に端子部１２１ａが形成されている。孔部３３２には、第２電極１２３は露出しておらず、端子部１２３ａも形成されていない。
【０１０５】
孔部３３３は、第２電極１２３への給電を行うために設けられる。具体的には、孔部３３３には、端子部１２３ａが露出している。例えば、孔部３３３には、基板の１１０の別の一部である第２領域が露出しており、露出した第２領域上に端子部１２３ａが形成されている。
【０１０６】
なお、第１電極１２１、有機層１２２及び第２電極１２３には、孔部３３２及び３３３に重複する領域に貫通孔が形成されている。
【０１０７】
２つの孔部３３２及び３３３は、例えば、平面視において、カバー部材３３０の辺に平行な線分の中央を貫通する。具体的には、図８に示すように、孔部３３２及び３３３は、カバー部材３３０が矩形であるので、矩形の一辺に平行な線分の中央を貫通する。
【０１０８】
以上のように、本変形例に係る平面発光体３００では、第１電極１２１に電気的に接続された端子部１２１ａを露出させるための孔部３３２と、第２電極１２３に電気的に接続された端子部１２３ａを露出させるための孔部３３３とを設けている。このとき、孔部３３２及び３３３は、平面視において、カバー部材３３０の辺に平行な線分の中央を貫通する。
【０１０９】
これにより、給電部の位置によって生じる電圧効果の影響を低減することができ、面発光の面内均一性を向上させることができる。
【０１１０】
なお、孔部３３２には、基板１１０の第１領域ではなく、第１電極１２１の一部が露出していてもよい。すなわち、第１電極１２１は、基板１１０の第１領域を覆っていてもよい。言い換えると、第１電極１２１には、孔部３３２に重複する領域に貫通孔１１１が形成されていなくてもよい。このとき、端子部１２１ａは、第１電極１２１の一部であって、基板１１０の第１領域の直上に位置する部分に相当する。
【０１１１】
同様に、孔部３３３には、基板１１０の第２領域ではなく、第２電極１２３の一部が露出していてもよい。すなわち、第２電極１２３は、基板１１０の第２領域を覆っていてもよい。言い換えると、第２電極１２３には、孔部３３３に重複する領域に貫通孔１１１が形成されていなくてもよい。このとき、端子部１２３ａは、第２電極１２３の一部であって、基板１１０の第２領域の直上方向に位置する部分に相当する。なお、第２電極１２３及び有機層１２２には、端子部１２１ａ、すなわち、第１電極１２１の一部を露出させるために、孔部３３２に重複する領域には、貫通孔１１１が形成されている。
【０１１２】
また、本変形例では、カバー部材３３０が矩形である例について示したが、カバー部材３３０は、円形又は楕円形でもよい。この場合、孔部３３２及び３３３は、平面視において、カバー部材３３０の径に平行な線分の中央を貫通してもよい。なお、楕円の径は、楕円の長軸又は短軸である。また、カバー部材３３０の形状、及び、平面発光体３００の形状は、矩形、円形又は楕円形に限らず、自由に定めることができる。
【０１１３】
（実施の形態１の変形例４）
続いて、本実施の形態の変形例４について、図９及び図１０を用いて説明する。図９及び図１０は、本変形例に係る平面発光体４００の平面図及び断面図である。なお、図９は、平面発光体４００をカバー部材１３０側から見た平面図である。また、図１０は、端子部４２１ａ及び４２３ａを通る断面、すなわち、図９におけるＣ−Ｃ断面を示している。
【０１１４】
本変形例に係る平面発光体４００は、実施の形態１に係る平面発光体１００と比較して、有機ＥＬ素子１２０、並びに、端子部１２１ａ及び１２３ａの代わりに、有機ＥＬ素子４２０、並びに、端子部４２１ａ及び４２３ａを備える点が異なっている。
【０１１５】
有機ＥＬ素子４２０は、第１電極４２１と、有機層１２２と、第２電極１２３と、絶縁層４２４とを備える。
【０１１６】
第１電極４２１は、孔部１３２に重複する位置に貫通孔４１１が設けられていない。つまり、孔部１３２には、基板１１０は露出しておらず、第１電極４２１の一部が露出している。孔部１３２に露出した部分が、端子部４２１ａに相当する。
【０１１７】
孔部１３２には、図９に示すように、端子部４２１ａ及び４２３ａが露出している。
【０１１８】
端子部４２１ａは、第１電極４２１と電気的に接続されている。具体的には、端子部４２１ａは、第１電極４２１の一部であり、孔部１３２に露出した部分である。
【０１１９】
端子部４２３ａは、第２電極１２３と電気的に接続されている。端子部４２３ａは、図１０に示すように、第１電極４２１と端子部４２１ａとの接続部分の上に、絶縁層４２４を介して形成されている。
【０１２０】
絶縁層４２４は、例えば、シリコン酸化膜又はシリコン窒化膜などの絶縁性材料で形成される。端子部４２１ａと端子部４２３ａとの間に絶縁層４２４を設けることで、端子部４２１ａと端子部４２３ａとの絶縁性を確保することができる。
【０１２１】
なお、有機層１２２、第２電極１２３及び絶縁層４２４には、端子部４２１ａを露出させるために、孔部１３２に重複する領域に貫通孔４１１が形成されている。具体的には、貫通孔４１１は、有機層１２２、第２電極１２３及び絶縁層４２４を、基板１１０の法線方向に貫通している。
【０１２２】
以上のように、本変形例に係る平面発光体４００では、絶縁性を確保するために、端子部４２１ａと端子部４２３ａとを積層方向に離間させている。具体的には、端子部４２１ａと端子部４２３ａとの間に絶縁層４２４を設けている。
【０１２３】
これにより、基板水平方向に離間させる場合よりも、孔部１３２の面積を小さくすることができる。これにより、非発光領域をより小さくすることができる。
【０１２４】
（実施の形態２）
［平面発光モジュールの概要］
続いて、実施の形態２に係る平面発光モジュールについて、図１１及び図１２を用いて説明する。図１１は、本実施の形態に係る平面発光モジュール５００を示す概観斜視図である。図１２は、本実施の形態に係る平面発光モジュール５００の製造方法を示す断面図である。なお、図１２は、端子部１２１ａを通る断面、すなわち、図１１におけるＤ−Ｄ断面を示している。
【０１２５】
図１１に示すように、平面発光モジュール５００は、平面発光体１００と、保持部材５１０と、給電電極部材５２０とを備える。
【０１２６】
［保持部材］
保持部材５１０は、平面発光体１００を保持する。例えば、保持部材５１０は、基板１１０及びカバー部材１３０の端部を保持する。具体的には、保持部材５１０は、基板１１０の端部とカバー部材１３０とを挟むようにして、平面発光体１００を保持する。
【０１２７】
本実施の形態では、保持部材５１０は、平面発光体１００をスライド可能に保持する。つまり、保持部材５１０によって、平面発光体１００は、例えば、基板水平方向に、具体的には、図１１に示すＹ軸方向にスライド可能である。
【０１２８】
図１１に示すように、保持部材５１０は、平板部５１１と、２つの側壁部５１２と、２つの爪部５１３とを有する。
【０１２９】
平板部５１１は、平面発光体１００の光出射面と反対側に設けられている。平面視において、平板部５１１の形状は、平面発光体１００の形状と略同じである。本実施の形態では、平面発光体１００が矩形であるので、平板部５１１も矩形である。
【０１３０】
平板部５１１には、カバー部材１３０の孔部１３２と重複する領域に、貫通孔５１４が設けられている。貫通孔５１４には、平板部５１１に固定された給電電極部材５２０の一部が、端子部１２１ａ及び１２３ａに接触するように挿通されている。
【０１３１】
２つの側壁部５１２は、平面発光体１００の側面を支えるように、平板部５１１の端部に設けられる。具体的には、２つの側壁部５１２は、平板部５１１の互いに対向する２辺から垂直に立設している。２つの側壁部５１２は、平面発光体１００の端面に平行になるように設けられている。
【０１３２】
２つの爪部５１３は、基板１１０の下面、すなわち、光出射面を支持するように、側壁部５１２の端部に設けられる。具体的には、２つの爪部５１３は、側壁部５１２から垂直に立設しており、平板部５１１と平行に設けられている。
【０１３３】
また、２つの爪部５１３は、基板水平方向、具体的には、図１１に示すＸ軸方向に対向している。２つの爪部５１３と平板部５１１とが、基板１１０の端部とカバー部材１３０とを保持することで、保持部材５１０は、平面発光体１００を保持する。
【０１３４】
以上の構成により、保持部材５１０は、平面発光体１００をスライド可能に保持する。つまり、平板部５１１と、側壁部５１２と、爪部５１３とが、平面発光体１００の端部をスライドさせるためのレール部を構成する。
【０１３５】
具体的には、保持部材５１０は、平板部５１１と２つの爪部５１３とによって、平面発光体１００の基板１１０に垂直な方向（Ｚ軸方向）への移動を規制し、かつ、２つの側壁部５１２によって、基板１１０に水平な一方向（Ｘ軸方向）への移動を規制する。これに対して、保持部材５１０は、図１１に示すＹ軸方向への移動を規制するための壁部を有さないので、Ｙ軸方向へ平面発光体１００をスライドさせることができる。
【０１３６】
なお、保持部材５１０は、例えば、ガラス材料又はプラスチック材料から構成される。例えば、保持部材５１０は、金型を用いた成型方法を用いて形成される。
【０１３７】
［給電電極部材］
給電電極部材５２０は、保持部材５１０に設けられている。具体的には、給電電極部材５２０は、保持部材５１０の平板部５１１に一部が固定されている。また、給電電極部材５２０は、弾性体であり、端子部１２１ａ又は端子部１２３ａに押圧されている。
【０１３８】
例えば、給電電極部材５２０は、板ばね状の金属片である。給電電極部材５２０の両端は、平板部５１１に固定され、中央部は、貫通孔５１４に挿通されている。
【０１３９】
このとき、給電電極部材５２０の中央部は、基板１１０から平板部５１１に向かう方向（図１１のＺ軸正方向）に力が加えられた場合に、力が加えられた方向に変形する（図１２の（ａ）参照）。給電電極部材５２０の中央部は、力が加えられていない状態で端子部１２１ａ又は端子部１２３ａに接触可能な長さ以上に、平板部５１１から基板１１０に向かう方向（図１１のＺ軸負方向）に貫通孔５１４から突出している。
【０１４０】
［給電電極部材と端子部との接続］
次に、給電電極部材５２０と端子部１２１ａ又は端子部１２３ａとの電気的な接続について、図１２を用いて説明する。
【０１４１】
平面発光体１００に保持部材５１０を取り付ける場合、図１２の（ａ）に示すように、平面発光体１００をスライドさせればよい。このとき、給電電極部材５２０は、カバー部材１３０によって、カバー部材１３０から保持部材５１０に向かう方向に力が加えられる。
【０１４２】
このため、図１２の（ａ）に示すように、給電電極部材５２０は、保持部材５１０に固定された部分を支点として、その形状が変形する。このとき、給電電極部材５２０の中央部には、元に戻ろうとする復元力が働く。具体的には、給電電極部材５２０の中央部は、カバー部材１３０を押圧している。
【０１４３】
さらに、平面発光体１００をスライドさせて、図１２の（ｂ）に示すように、保持部材５１０の貫通孔５１４とカバー部材１３０の孔部１３２とが重なったとき、給電電極部材５２０の中央部の復元力により、給電電極部材５２０の中央部は、孔部１３２に自動的に挿通される。これにより、給電電極部材５２０は、端子部１２１ａ又は端子部１２３ａと接触する。
【０１４４】
給電電極部材５２０の中央部の長さが、保持部材５１０の厚さとカバー部材１３０の上面から端子部１２１ａ又は１２３ａまでの距離との合計よりも十分に長い場合、給電電極部材５２０の中央部には、端子部１２１ａ又は１２３ａから力が加えられる。加えられた力に応じた復元力が働くので、給電電極部材５２０の中央部は、端子部１２１ａ又は１２３ａを押圧している。
【０１４５】
これにより、平面発光体１００をスライドさせるだけで、給電電極部材５２０と端子部１２１ａ又は１２３ａとを容易に電気的に接続することができる。
【０１４６】
以上のように、本実施の形態に係る平面発光モジュール５００は、例えば、実施の形態１に記載の平面発光体１００と、平面発光体１００を保持する保持部材５１０と、保持部材５１０に設けられた給電電極部材５２０とを備え、給電電極部材５２０は、弾性体であり、端子部１２１ａを押圧している。
【０１４７】
これにより、給電電極部材５２０が端子部１２１ａ又は端子部１２３ａに押圧されているので、給電電極部材５２０と端子部１２１ａ又は端子部１２３ａとを容易に電気的に接続することができる。すなわち、端子部１２１ａ又は端子部１２３ａに容易に給電することができ、施工性を向上させることができる。
【０１４８】
また、本実施の形態に係る平面発光モジュール５００では、保持部材５１０は、平面発光体１００をスライド可能に保持する。
【０１４９】
これにより、平面発光体１００をスライドさせることで、効率良く平面発光体１００を保持することができ、施工性を向上させることができる。
【０１５０】
なお、給電電極部材５２０は、板ばね状の部材である例について示したが、これに限らない。例えば、給電電極部材５２０は、ポゴピン又はスプリングピンなどの先端がバネで伸縮可能な可動型プローブピンでもよい。
【０１５１】
また、１つの保持部材５１０が１つの平面発光体１００を保持する例について示したが、これに限らない。１つの保持部材５１０が、複数の平面発光体１００を保持してもよい。例えば、複数の平面発光体１００を順にスライドさせることで、保持部材５１０は、効率良く複数の平面発光体１００を保持することができる。
【０１５２】
（実施の形態２の変形例１）
続いて、本実施の形態の変形例１について、図１３を用いて説明する。図１３は、本変形例に係る平面発光モジュール６００の断面図である。
【０１５３】
図１３に示すように、平面発光モジュール６００は、実施の形態２に係る平面発光モジュール５００と比較して、保持部材５１０及び給電電極部材５２０の代わりに、保持部材６１０及び給電電極部材６２０を備える点が異なっている。
【０１５４】
保持部材６１０は、平面発光体１００を保持する。例えば、保持部材６１０は、基板１１０及びカバー部材１３０の端部を保持する。具体的には、図１３に示すように、保持部材６１０は、基板水平方向から平面発光体１００を保持する。
【０１５５】
保持部材６１０は、平板部５１１と、２つの側壁部６１２とを有する。
【０１５６】
２つの側壁部６１２は、平面発光体１００の端部を保持する端部保持部である。２つの側壁部６１２は、平面発光体１００の側面を支えるように、平板部５１１の端部に設けられる。具体的には、２つの側壁部６１２は、平板部５１１の互いに対向する２辺から垂直に立設している。２つの側壁部６１２は、平面発光体１００の端面を基板水平方向（図１３のＹ軸方向）に挟持する。
【０１５７】
これにより、例えば、平面発光体１００を２つの側壁部６１２と平板部５１１との間に挿入することで、保持部材６１０は、容易に平面発光体１００を保持することができる。言い換えると、平面発光体１００のカバー部材１３０側から保持部材６１０を平面発光体１００に嵌め込むことで、保持部材６１０は、容易に平面発光体１００を保持することができる。
【０１５８】
給電電極部材６２０は、実施の形態２に係る給電電極部材５２０と比較して、中央部で分離している点が異なっている。具体的には、給電電極部材６２０は、保持部材６１０の平板部５１１に一部が固定されている。また、給電電極部材６２０は、弾性体であり、端子部１２１ａ又は１２３ａに押圧されている。
【０１５９】
例えば、給電電極部材６２０は、板ばね状の金属片である。給電電極部材６２０の一端は、平板部５１１に固定され、他端は、貫通孔５１４に挿通されている。このとき、給電電極部材６２０の他端は、基板１１０から平板部５１１に向かう方向（図１３のＺ軸正方向）に力が加えられた場合に、力が加えられた方向に変形する（図１２の（ａ）参照）。
【０１６０】
したがって、実施の形態２に係る給電電極部材５２０と同様に、給電電極部材６２０の貫通孔５１４から突出した部分の長さが、カバー部材１３０の上面から端子部１２１ａ又は１２３ａまでの距離よりも十分に長い場合、給電電極部材６２０の他端には、端子部１２１ａ又は１２３ａから力が加えられる。加えられた力に応じた復元力が働くので、給電電極部材６２０の他端は、端子部１２１ａ又は１２３ａを押圧している。これにより、給電電極部材６２０と端子部１２１ａ又は１２３ａとを容易に電気的に接続することができる。
【０１６１】
このように、本変形例に係る平面発光モジュール６００では、保持部材６１０は、基板１１０及びカバー部材１３０の少なくとも一方の端部を保持する。
【０１６２】
これにより、保持部材６１０は、容易に平面発光体１００を保持することができる。
【０１６３】
（実施の形態２の変形例２）
続いて、本実施の形態の変形例２について、図１４を用いて説明する。図１４は、本変形例に係る平面発光モジュール７００の概観斜視図である。
【０１６４】
図１４に示すように、平面発光モジュール７００は、実施の形態２に係る平面発光モジュール５００と比較して、保持部材５１０の代わりに、保持部材７１０を備える点が異なっている。
【０１６５】
保持部材７１０は、平面発光体１００を保持する。例えば、保持部材７１０は、実施の形態２に係る保持部材６１０と同様に、平面発光体１００を嵌め込んで保持する。
【０１６６】
また、保持部材７１０は、所定の設置面に設けられた係止部に回動可能に係止する。所定の設置面は、平面発光モジュール７００を取付可能な面であり、例えば、建物の天井面又は壁面などである。具体的には、保持部材７１０は、設置面に設けられた引掛シーリングボディと接続するためのアダプタである。
【０１６７】
設置面には、保持部材７１０を保持するための第１係止部（図示せず）が設けられている。例えば、第１係止部（図示せず）は、設置面から突出するように設けられた爪部である。具体的には、第１係止部（図示せず）は、設置面に設けられた引掛シーリングボディが有する爪部である。
【０１６８】
保持部材７１０は、図１４に示すように、溝部７３０を備える。
【０１６９】
溝部７３０は、設置面に設けられた第１係止部（図示せず）に係止する第２係止部の一例である。溝部７３０には、第１係止部（図示せず）である爪部が挿入される。例えば、溝部７３０は、貫通孔５１４及び孔部１３２を中心とする円弧の一部を描くように設けられている。
【０１７０】
具体的には、まず、設置面と保持部材７１０の平板部５１１とが平行になり、かつ、設置面に設けられた爪部が溝部７３０に挿入されるように、平面発光モジュール７００と設置面との位置合わせを行う。次に、平板部５１１が設置面に接触するように平面発光モジュール７００を設置面に向かって押しながら、溝部７３０の形状に沿って平面発光モジュール７００を回動させる。所定の位置に回動させた場合に、爪部と溝部７３０とが係止することで、平面発光モジュール７００を設置面に取り付けることができる。
【０１７１】
このように、本変形例に係る平面発光モジュール７００では、保持部材７１０は、所定の設置面に設けられた係止部に回動可能に係止する。
【０１７２】
これにより、天井面又は壁面などへの平面発光モジュール７００の保持信頼性を向上させることができる。
【０１７３】
なお、保持部材７１０が係止部の一例として溝部７３０を備える例について示したが、これに限らない。例えば、保持部材７１０は、係止部の一例として爪部を備え、設置面に溝部が設けられてもよい。
【０１７４】
（実施の形態３）
続いて、実施の形態３に係る照明装置について、図１５を用いて説明する。
【０１７５】
図１５は、実施の形態３に係る照明装置を示す概観斜視図である。
【０１７６】
図１５に示す照明装置８００は、実施の形態１及びその変形例に係る平面発光体を備える。例えば、照明装置８００は、複数の平面発光体１００からなる発光部８０１と、発光部８０１を天井に設置するための吊具８０２と、発光部８０１と吊具８０２とを繋ぐ電源コード８０３とを備える。
【０１７７】
発光部８０１は、例えば、複数の平面発光体１００が互いに隣接するように複数並べて構成される。また、発光部８０１は、その縁部が灯具ケース８０４で覆われて保護される。吊具８０２は、その表面にリモコン（図示せず）から送信されたリモコン信号を受信するためのリモコン受光部８０５を有する。
【０１７８】
以上のように、本実施の形態に係る照明装置８００は、例えば、実施の形態１及びその変形例に係る平面発光体を備える。このため、本実施の形態に係る照明装置８００は、実施の形態１及びその変形例と同様の効果を奏する。すなわち、簡易な構成で発光領域を大きくすることができる。
【０１７９】
また、本実施の形態に係る照明装置８００は、平面発光体１００を複数備え、複数の平面発光体１００は、互いに隣接するように二次元状に並べられている。
【０１８０】
これにより、外周から給電する場合に比べて、隣接する平面発光体１００間の非発光領域を小さくすることができ、全体としての非発光領域をより小さくすることができる。すなわち、全体として発光領域をより大きくすることができ、視覚的な効果を向上させることができる。
【０１８１】
なお、照明装置は天井に吊り下げられる構成に限らず、壁に設置される構成であっても同等の効果を得ることができる。
【０１８２】
（その他）
以上、本発明に係る平面発光体、平面発光モジュール及び照明装置について、実施の形態及びその変形例に基づいて説明したが、本発明は、上記実施の形態及びその変形例に限定されるものではない。
【０１８３】
例えば、上記実施の形態では、孔部１３２には、第１電極１２１に電気的に接続された端子部１２１ａと第２電極１２３に電気的に接続された端子部１２３ａとを露出させているが、これに限らない。例えば、孔部１３２には、端子部１２１ａ及び１２３ａの一方のみを露出させてもよい。この場合、端子部１２１ａ及び１２３ａの他方は、カバー部材１３０の外周の一部、例えば、基板１１０の端縁部に露出させる。この場合であっても、端子部１２１ａ及び１２３ａの両方を基板１１０の端縁部に露出させる場合よりも非発光領域を小さくすることができる。
【０１８４】
また、上記実施の形態では、第１電極１２１が陽極であり、かつ、第２電極１２３が陰極である例について示したが、これに限らない。第１電極１２１が陰極であり、かつ、第２電極１２３が陽極でもよい。
【０１８５】
また、上記実施の形態では、成膜後にパターニングすることで所定形状の第１電極１２１を形成する例について示したが、これに限らない。例えば、所定形状のマスクを通して成膜することで、所定形状の第１電極１２１を形成してもよい。第２電極１２３及び有機層１２２についても同様である。
【０１８６】
また、上記実施の形態では、端子部１２１ａは第１電極１２１と一体に形成され、端子部１２３ａは第２電極１２３と一体に形成される例について示したが、これに限らない。各端子部と電極とは別体でもよい。
【０１８７】
また、上記実施の形態では、外部から視認可能な状態で孔部１３２が空洞であり、平面視において基板１１０などが視認可能な状態になっている例について示したが、これに限らない。孔部１３２には、樹脂などが充填されていてもよい。このとき、例えば、孔部１３２に露出した端子部１２１ａ及び１２３ａに給電するための給電電極が、端子部１２１ａ及び１２３ａに接続した状態で樹脂に埋め込まれている。
【０１８８】
また、上記実施の形態では、平面発光体１００は、基板１１０側から発光する例について示したが、平面発光体１００は、基板１１０側とカバー部材１３０側との両面に発光してもよい。
【０１８９】
また、上記実施の形態では、発光素子として有機ＥＬ素子を例示したが、無機ＥＬ素子、ＬＥＤ（Ｌｉｇｈｔ  Ｅｍｉｔｔｉｎｇ  Ｄｉｏｄｅ）素子、又は、半導体レーザなどの半導体発光素子などを用いてもよい。
【０１９０】
その他、各実施の形態に対して当業者が思いつく各種変形を施して得られる形態や、本発明の趣旨を逸脱しない範囲で各実施の形態における構成要素及び機能を任意に組み合わせることで実現される形態も本発明に含まれる。
【符号の説明】
【０１９１】
１００、２００、３００、４００  平面発光体
１１０、２１０  基板
１１１、２１１、４１１、５１４  貫通孔
１２０、４２０  有機ＥＬ素子
１２１、４２１  第１電極
１２１ａ、１２３ａ、４２１ａ、４２３ａ  端子部
１２２  有機層
１２３  第２電極
１３０、３３０  カバー部材
１３１、３３１、５１１  平板部
１３２、３３２、３３３  孔部
１４０  封止部材
１５０  補助電極
４２４  絶縁層
５００、６００、７００  平面発光モジュール
５１０、６１０、７１０  保持部材
５１２、６１２  側壁部
５１３  爪部
５２０、６２０  給電電極部材
７３０  溝部
８００  照明装置
８０１  発光部
８０２  吊具
８０３  電源コード
８０４  灯具ケース
８０５  リモコン受光部
【図１】
2017062870.tif 000003
【図２】
2017062870.tif 000004
【図３】
2017062870.tif 000005
【図４】
2017062870.tif 000006
【図５】
2017062870.tif 000007
【図６】
2017062870.tif 000008
【図７】
2017062870.tif 000009
【図８】
2017062870.tif 000010
【図９】
2017062870.tif 000011
【図１０】
2017062870.tif 000012
【図１１】
2017062870.tif 000013
【図１２】
2017062870.tif 000014
【図１３】
2017062870.tif 000015
【図１４】
2017062870.tif 000016
【図１５】
2017062870.tif 000017